(57)【要約】      （修正有）【課題】ゴルフクラブのクラブヘッドに取外し可能に取り付けるための、クラブヘッド全体を包み込む保護被覆を備えた保護装置に関する。【解決手段】寸法安定性を持つ２つのハーフシェル１２，１４が前記保護被覆を形成し、これらのハーフシェルが１つの蝶番２４を介して相互に結合されており、この際、前記ハーフシェル１２，１４が２つのレバー２０，２２を有し、これらのレバーは、前記レバー２０，２２を押し付けるとともに２つの前記ハーフシェル１２，１４が前記蝶番２４の回転軸２６のまわりを回転して開き、それによって閉鎖位置から解放位置へと回転しながら開かれるように装着されている。【選択図】図１
2009189805.tif 000002
【特許請求の範囲】
【請求項１】
ゴルフクラブのクラブヘッドの上に取外し可能に取り付けるための、クラブヘッド全体を包み込む１つの保護被覆を備えた保護装置（１０）であって、
１つの蝶番（２４）を介して相互に接合された寸法安定性を持つ２つの前記ハーフシェル（１２，１４）が前記保護被覆を形成し、
前記ハーフシェル（１２，１４）が２つのレバー（２０，２２）を有し、
２つの前記レバーが、それらを押し付けるとともに２つの前記ハーフシェル（１２，１４）が前記蝶番（２４）の回転軸（２６）のまわりを回転することによって閉鎖位置から解放位置へと回転しながら開かれるように配置されていることを特徴とする、保護装置（１０）。
【請求項２】
前記レバー（２０，２２）の一方が前記ハーフシェル（１２，１４）の一方と固定的に結合され、前記レバー（２２，２０）のもう一方が前記ハーフシェル（１４，１２）のもう一方と固定的に結合されていることを特徴とする、請求項１に記載の保護装置。
【請求項３】
前記２つのレバー（２０，２２）の部分が前記蝶番（２４）の前記回転軸（２６）において交差することを特徴とする、請求項２に記載の保護装置。
【請求項４】
前記回転軸（２６）において、前記レバー（２０，２２）の一部が前記蝶番（２４）の一部を形成しているか、あるいはこれと結合されていることを特徴とする、請求項３に記載の保護装置。
【請求項５】
２つの前記ハーフシェル（１２，１４）の閉鎖位置の方向に作用する１つのスプリング（２８）をさらに備えることを特徴とする、請求項１〜４のいずれか１項に記載の保護装置。
【請求項６】
前記ハーフシェル（１２，１４）がクラブヘッドの外形に適合されていることを特徴とする、請求項１〜５のいずれか１項に記載の保護装置。
【請求項７】
２つの前記ハーフシェル（１２，１４）は合成樹脂から成り、特に射出成形法によって製造されたことを特徴とする、請求項１〜６のいずれか１項に記載の保護装置。
【請求項８】
前記ハーフシェル（１２，１４）の、閉鎖位置において隣接し合っている前面（３２，３４）が、一方の側では１つの磁性ベルトを有し、もう一方の側では、鉄を有するベルトを取り付けられており、
これによって、閉鎖位置において２つの前記ハーフシェル（１２，１４）が保持されることを特徴とする、請求項１〜７のいずれか１項に記載の保護装置。
【請求項９】
前記レバー（２０，２２）が人間工学的に形づくられていることを特徴とする、請求項１〜８のいずれか１項に記載の保護装置。
【請求項１０】
前記２つのハーフシェル（１２，１４）のうちの少なくとも１つ、あるいは２つの前記レバー（２０，２２）のうちの少なくとも１つが、固定器具（１８）として役立つ突起部分を有し、
その結果、保護装置（１０）が、ゴルフクラブの有無にかかわらず、この前記固定器具（１８）を介して吊り下げられることが可能となることを特徴とする、請求項１〜９のいずれか１項に記載の保護装置。
【請求項１１】
前記ハーフシェル（１２，１４）がゴルフクラブのシャフト部分にまで延びていることを特徴とする、請求項１〜１０のいずれか１項に記載の保護装置。
【発明の詳細な説明】
【技術分野】
【０００１】
本発明は、請求項１の前提部分に記載された種類の保護被覆を備えた保護装置に関するものである。
【背景技術】
【０００２】
そのような、ゴルフクラブのクラブヘッド用の保護装置は、長年にわたって周知であり、主として、たとえば布地あるいはそれに類似した弾力性素材から構成されている。ゴルフクラブのクラブヘッドは、この保護装置によって、輸送によって発生し得る引っかき傷およびその他の損傷から守られている。保護装置は、靴下のようにして、ゴルフクラブのクラブヘッドに被せられる。
【０００３】
なおそのうえに、輸送中には、ゴルフバッグの中で、クラブヘッドはぶつかり合う。それによって発生する、クラブヘッドに対する力学的作用によって、クラブヘッドは、保護装置にもかかわらず損傷を受け得る。なぜなら、衝撃は、周知の保護装置を突き抜けるからである。体積が比較的大きいクラブヘッドを有する木材製ゴルフクラブの場合はとりわけそうだが、しかし、すべてのその他のゴルフクラブの場合でも、比較的に薄い金属層には、ひびが入ることもあり得る。なおそのうえに、ゴルフクラブのクラブヘッドに保護装置を取り付けることは、ゴルフ場でのユーザーにとっては、比較的に面倒である。靴下のような保護装置をゴルフクラブのクラブヘッドに被せるためには、大抵は、両手が必要である。
【発明の概要】
【発明が解決しようとする課題】
【０００４】
したがって、発明の根本的課題は、請求項１の前提部分に記載された説明による保護被覆を備えた保護装置を、前記の不利点を回避しつつ、ゴルフクラブのクラブヘッドに対する保護装置の容易な取り外しと取り付けとが可能なものに改良することである。
【課題を解決するための手段】
【０００５】
この課題は、請求項１の前提部分の特徴と関連した、請求項１の特筆すべき特徴によって解決される。
【０００６】
下位請求項は、本発明の好ましい発展形態を形成する。
【図面の簡単な説明】
【０００７】
【図１】本発明の１つの実施例に従った、保護装置の上面図である。
【図２】図１の側面図である。
【図３】閉鎖スプリングおよび保護装置の蝶番を示す部分断面図を含む上面図である。
【図４】図１の背面図である。
【図５】本発明のさらなる実施形態に従った保護装置の側面図である。
【発明を実施するための形態】
【０００８】
本発明は、対応した大きさに寸法決定されて形づくられハーフシェルと結合された２つのレバーによって、保護装置を片手で容易に開閉するための前提が作り出されるという認識に基づく。ハーフシェルは寸法安定性を持つように形成され、これによって、たとえばゴルフクラブをゴルフバッグに入れて輸送する場合の、力学的作用に対する保護が、容易に保証される。
【０００９】
したがって、本発明によれば、寸法安定性を持つ２つのハーフシェルが、保護装置の保護被覆を形成する。両方のハーフシェルは、１つの蝶番を介して相互に結合されており、このとき、これらのハーフシェルは２つのレバーを有し、これらのレバーは、レバーを押し付けるとともに両方のハーフシェルが蝶番の回転軸のまわりを回転して開き、それによって閉鎖位置から開放位置へと回転しながら開かれるように装着されている。したがって、１回の握りによって、保護被覆を簡単に開放することができる。
【００１０】
本発明の１つの実施形態によれば、１つのレバーが１つのシェルと結合され、もう１つのレバーは、もう１つのシェルと結合されている。
【００１１】
この場合に、左側のレバーは左側のハーフシェルと結合され、右側のレバーは右側のハーフシェルと結合されていてもよい。その場合には、開放を行うためのレバーの力を発生させるために、各レバーは、そのレバーに配分されたハーフシェルに対して所定の角度を有する。代替的には、上面図の蝶番の回転軸において、両方のレバーの部分が交差することも可能である。
【００１２】
特に、レバーの部分は蝶番の一部を形成しているか、あるいはこれと結合されている。これによって、構成の容易な信頼性のある開放機構が用意される。２つのレバーを押し付けることによって、２つのハーフシェルが開放される。この場合に、２つのハーフシェルは両方とも、共通の蝶番の回転軸のまわりを回転する。保護装置が最大限に開放された状態では、２つのレバーの、シェルと結合されていない端部が隣接し合っている。これによって、製造を容易にするための条件も生み出される。
【００１３】
保護装置内でのクラブヘッドの確実な配置を可能にし、力学的な作用に対する保護をさらに最適化するために、ハーフシェルはクラブヘッドの外形に適合されている。たとえば、ハーフシェルは、クラブヘッドの形状に適合された緩衝材のベッドを有することが可能であり、このベッドは、ハーフシェルと結合されている。
【００１４】
本発明の好適な実施形態によれば、２つのハーフシェルは合成樹脂から成る。その場合に、２つのハーフシェルは、特に射出成形法によって製造される。これによって、ハーフシェルは低コストで製造され、市場での保護装置の経済的な販売が可能になる。
【００１５】
本発明の好適な様式によれば、ハーフシェルの、閉鎖位置において隣接し合っている前面は、一方の側では、１つの磁性ベルトを有し、もう一方の側では、鉄を有するベルトが取り付けられている。これらのベルトは、両方とも、相互に割り当てられたハーフシェルに固定されている。閉鎖位置では、これらのベルトが重なり合うことによって、その場合に作用する磁力が、閉鎖位置における２つのハーフシェルを結合された状態に保つ。それによって、ハーフシェルは、意図に反して開放されないようになっている。
【００１６】
保護装置の自動的な閉鎖を可能にするためには、１つのスプリングが準備されており、このスプリングは、２つのハーフシェルの閉鎖位置の方向に作用する。それゆえに、ハーフシェルを開放するためには、スプリングの弾力に反して、ハーフシェルの開放位置の方向にレバーを押さなければならない。レバーを放すとスプリングの弾力が作用して、自動的に２つのハーフシェルが閉じられる。それによって、１つの閉鎖機構が簡単な方法で用意され、この閉鎖機構は、保護装置を使用しない場合にはこの保護装置が常に閉じられていることを保証する。これによって、たとえばクラブヘッドが取り出されたときには、たとえば雨水あるいは汚れが保護装置の内部に入らないように防がれる。汚れや雨水が入れば、ゴルフクラブのクラブヘッドの取付け部が損なわれるかもしれない。
【００１７】
保護装置の簡単な操作を可能にするために、レバーは人間工学的に形づくられている。
【００１８】
本発明の１つの実施形態によれば、２つのハーフシェルのうちの少なくとも１つ、あるいは２つのレバーのうちの少なくとも１つは、固定器具として役立つ突起部分を有し、その結果、保護装置が、ゴルフクラブの有無にかかわらず、この固定器具を介して吊り下げられることが可能となる。それによって、保護装置は、ゴルフクラブの使用後には即時に手に取れる位置に置くことができ、周知の保護装置と同じように足下に置かれていたり、ゴルフバッグの中に入っているクラブの上に置かれていたりすることがない。
【００１９】
保護装置は、そのハーフシェルとともに、望ましくはゴルフクラブのシャフト部分にまで延びている。これによって、単にクラブヘッドが保護されるだけではなく、シャフトおよびゴルフクラブのクラブヘッドへのシャフトの結合部分という重要な部分もまた保護される。
【００２０】
図に示された実施例に関連する次のような説明から、本発明のさらなる有利点、特徴および用途が判明する。
【００２１】
以下の説明では、本発明が、図に示された実施例に従って詳細に説明される。説明、特許請求項、要約、および図の中で用いられる用語ならびに記号は、後述の参照番号一覧において用いられた用語ならびに割り当てられた記号である。
【００２２】
図１は、本発明による保護装置１０を説明する上面図であり、図２は、本発明による保護装置１０を説明する側面図である。保護装置１０は保護被覆から成り、これは２つのハーフシェル１２および１４によって形成されている。２つのハーフシェル１２および１４は、射出成形された合成樹脂から成り、ゴルフクラブのクラブヘッドの形状に適合されている。
【００２３】
代替的には、クラブヘッドの形状に適合された挿入物をハーフシェル１２および１４の中に取り付けることも可能であり、この挿入物は、基本的に緩衝材から成る。
【００２４】
ハーフシェル１２および１４は、下方向へ、ゴルフクラブのシャフト部分に至るまで延びており、その下部では、保護装置１０からゴルフクラブのシャフトが出るための１つの開口部１６を有する。保護装置１０の前部では、ハーフシェル１２および１４に突起状の固定器具１８が形づくられている。この固定器具１８によって、保護装置１０を装着したゴルフクラブが、あるいは保護装置１０だけが単独に、たとえばゴルフバッグに吊り下げられることが可能である。
【００２５】
保護装置１０の後部では、２つのウイング状のレバー２０および２２が、ハーフシェル１２および１４と結合されている。その場合に、レバー２０はハーフシェル１２と結合され、またレバー２２はハーフシェル１４と結合されており、望ましくは、これらが１つの一体化した射出形成部品として形成される。
【００２６】
さらには、２つのハーフシェル１２および１４は、１つの蝶番２４を介して相互に接合されている。蝶番２４は、回転軸２６を形成する。２つのレバー２０および２２は、回転軸２６において交差する。レバー２０および２２は、それぞれが、蝶番２４の１つの部分と結合されている。
【００２７】
図３および図４において詳細に見られるとおり、１つのスプリング２８が準備されている。スプリング２８は、ハーフシェル１４およびハーフシェル１２に固定され、閉鎖位置においてプリロードをかけられている。その場合に、スプリング２８は、ハーフシェル１２および１４のそれぞれに張り付けられているか、あるいは、これに対応した、製造時に一緒に成形されたホルダに取り付けられている。閉鎖位置においてプリロードをかけられたスプリング２８によって、閉鎖位置における２つのハーフシェル１２および１４の確実な配置が相互に保証され、レバー２０および２２から手を放したときには、それに続いて２つのハーフシェルの自動的な閉鎖が可能にされる。
【００２８】
それゆえに、２つのハーフシェル１２および１４を矢印３０の方向に開くためには、レバー２０および２２を押し付けるとともに、スプリング２８の力に反する力を加えなければならない。この場合に、２つのハーフシェルは、回転軸２６のまわりを回転する。その場合には、２つのハーフシェル１２および１４の前面３２および３４が離れる。
【００２９】
レバー２０および２２から手を放すと、２つのハーフシェル１２および１４は、スプリングの弾力によって自動的に閉じられ、ハーフシェル１２の前面３２が、ハーフシェル１４の前面３４に重なり合う。
【００３０】
さらに、２つのハーフシェル１２および１４の前面３２および３４には磁石を利用した安全装置が取り付けられている。磁性ベルト３６は、ハーフシェル１２の前面３２を取り囲んでいる。鉄を有するベルト３８は、ハーフシェル１４の前面３４を取り囲んでいる。これによって、閉鎖位置で磁力が作用し、２つのハーフシェル１２および１４が閉鎖位置に保たれる。それゆえに、さらに保護装置は、意図に反して開放されないようになっている。それゆえに、開放のためには、磁力とスプリングの弾力とが、レバー２０および２２を押し付けることを介して克服されなければならない。それゆえに、保護装置１０の中に収納されたゴルフクラブのクラブヘッドは、確実に配置される。
【００３１】
保護装置１０の本発明に従った様式によって、片手でレバー２０および２２を介してハーフシェル１２および１４を開くことができ、クラブヘッドを備えたゴルフクラブが保護装置１０から取り出されるか、あるいは保護装置１０の中へ入れられ、それに引き続いてレバー２０および２２から手を放すことによって、保護装置１０が再び自動的に閉じられるということが、簡単な仕方で可能にされる。
【００３２】
保護装置１０の使用者がレバー２０および２２を握っても手が滑らないために、これらのレバーは人間工学的に形づくられており、ウイングの形態を有する。
【００３３】
直前に説明された実施形態に対する代替として、突起状の固定器具１８が、レバー２０および２２のうちの１つないしは両方に取り付けられていることが可能である。図５を参照。
【００３４】
本発明は、その簡単な構造と、その簡単な開放機構ならびに閉鎖機構とを特徴とし、この機構は片手を使った方法で操作することが可能である。クラブヘッドは、寸法安定性を持つハーフシェル１２および１４によって、たとえばゴルフクラブをゴルフバッグに入れて輸送する場合に発生するような、力学的作用に対して良好に保護される。それゆえに、片手での操作が可能となる。従来の保護装置では、靴下のように形成された周知の保護装置を片手でクラブヘッドからはぎ取る場合を別として、片手でクラブヘッドから覆いをはずすことは、ほとんど不可能である。しかしながら、本発明によれば、片手での操作が常に可能である。片手でゴルフクラブを保持している間に、もう一方の手でカバーを開くことができる。さらにまた、片手だけを用いて、第２の手で保護装置を保持あるいは開放する必要もなく、ゴルフクラブを梱包することができる。
【符号の説明】
【００３５】
１０    保護装置
１２    ハーフシェル
１４    ハーフシェル
１６    ゴルフクラブのシャフトのための開口部
１８    固定器具
２０    ハーフシェル１２のウイング状のレバー
２２    ハーフシェル１４のウイング状のレバー
２４    蝶番
２６    回転軸
２８    スプリング
３０    矢印
３２    ハーフシェル１２の前面
３４    ハーフシェル１４の前面
３６    前面３２のための磁性ベルト
３８    前面３４のための鉄を有するベルト
【図１】
2009189805.tif 000003
【図２】
2009189805.tif 000004
【図３】
2009189805.tif 000005
【図４】
2009189805.tif 000006
【図５】
2009189805.tif 000007